(57)【特許請求の範囲】
【請求項１】
コンテンツデータを出力する端末装置が着脱可能に接続され、前記出力されるコンテンツデータを取得して適宜処理し、接続される出力手段で出力可能に該出力手段へ前記処理したコンテンツデータを適宜出力するコンテンツデータ処理装置であって、
前記端末装置が着脱可能に接続される入力端子を備えこの入力端子への前記端末装置の接続の有無を検出する接続検出手段と、
この接続検出手段に接続され前記コンテンツデータに重畳するノイズを除去するノイズ除去手段と、
このノイズ除去手段に接続され前記端末装置から出力される前記コンテンツデータを取得して処理する処理手段と、
前記接続検出手段に接続され前記端末装置の接続状態を判別するとともに前記端末装置が接続されたことを認識すると前記処理手段で前記コンテンツデータを取得させて処理させる接続判別手段と、を具備し、
前記接続検出手段は、前記端末装置が前記入力端子に未接続の状態で前記接続判別手段が前記入力端子に接続するとともに前記処理手段が前記ノイズ除去手段を介して前記入力端子に接続しない状態とし、前記端末装置が前記入力端子に接続する状態で前記処理手段が前記ノイズ除去手段を介して前記入力端子に前記コンテンツデータを取得可能に接続するとともに前記接続判別手段が前記入力端子に接続しない状態に切り替える切替手段を備えた
ことを特徴としたコンテンツデータ処理装置。
【請求項２】
請求項１に記載のコンテンツデータ処理装置であって、
前記入力端子は、コンテンツデータが入力されるコンテンツデータ入力端と、前記端末装置のグランドが接続されるグランド端と、を有し、
前記処理手段は、前記出力手段に設けられたスピーカが設置されるシャーシに接地され、
前記ノイズ除去手段は、前記コンテンツデータ入力端と前記グランド端との差分に基づいて前記コンテンツデータから前記ノイズを除去する差動回路を備えた
ことを特徴としたコンテンツデータ処理装置。
【請求項３】
請求項２に記載のコンテンツデータ処理装置であって、
前記シャーシは、車両の一部である
ことを特徴としたコンテンツデータ処理装置。
【請求項４】
請求項２または請求項３に記載のコンテンツデータ処理装置であって、
前記差動回路は、前記コンテンツデータ入力端と前記グランド端とに接続されるアイソレータを備えた
ことを特徴としたコンテンツデータ処理装置。
【請求項５】
請求項２ないし請求項４のいずれかに記載のコンテンツデータ処理装置であって、
前記入力端子のコンテンツデータ入力端は、前記端末装置から周波数信号の前記コンテンツデータが入力され、
前記接続検出手段は、前記端末装置の前記入力端子への接続状態を切り替える切替手段に設けられ前記接続状態に対応して開閉するスイッチと、前記コンテンツデータ入力端および前記ノイズ除去手段との間に接続されたコンデンサと、を備え、
前記切替手段は、前記スイッチの開閉により前記接続状態を切り替える
ことを特徴としたコンテンツデータ処理装置。
【請求項６】
請求項１ないし請求項５のいずれかに記載のコンテンツデータ処理装置であって、
前記処理手段は、異なる複数のコンテンツデータが入力可能で、前記接続判別手段が前記端末装置の前記入力端子への接続を認識することで出力される制御信号に基づいて、前記端末装置から出力されるコンテンツデータを取得する状態に切り替えるスイッチ回路である
ことを特徴としたコンテンツデータ処理装置。
【請求項７】
請求項１ないし請求項６のいずれかに記載のコンテンツデータ処理装置と、
このコンテンツデータ処理装置から出力されるコンテンツデータを出力する出力手段と、
を具備したことを特徴とした再生装置。
【発明の詳細な説明】
【技術分野】
【０００１】
本発明は、着脱可能に接続される端末装置から出力されるコンテンツデータを取得して出力手段で出力可能に処理するコンテンツデータ処理装置および再生装置に関する。
【背景技術】
【０００２】
従来、例えば車両に搭載される音響装置として、音楽や音声などのコンテンツデータをアナログ処理などして車両に搭載されたスピーカから発音させる構成が広く利用されている。このような音響装置として、例えばビデオテープレコーダや携帯型音響装置などの外部端末装置が着脱可能に接続される入力端子を備え、入力端子を介して接続された外部端末装置から出力されるコンテンツデータを取得してスピーカから発音させる処理が可能な構成が知られている。このような外部入力を処理可能な音響装置においては、利用者が操作可能な操作ボタンなどの入力操作により、外部入力を取得して処理可能な状態に設定している。
このことにより、利用者が外部端末装置を入力端子に接続させる動作と、音響装置を外部入力されるコンテンツデータの処理可能な状態への設定入力を実施させる動作と、を実施する必要があり、より使い勝手の向上が望まれている。
【０００３】
一方、車両に搭載される音響装置は、車両のシャーシにそれぞれ接地されている。また、車両には、発電機や燃料噴射装置などの走行のための電気機器、さらにはヘッドランプやワイパ、方向指示器などの走行を支援するための電気機器などもシャーシに接地されている。
このことにより、シャーシには、音響装置の他に各種電気機器のノイズ電圧が印加される。したがって、例えば車両に搭載されたバッテリからの電力の供給により動作する外部端末装置から音楽データなどのコンテンツデータを外部入力として取得して再生処理する際、外部端末装置における接地位置と、音響装置における接地位置とで電位差が生じ、外部端末装置から音響装置へ伝送するコンテンツデータにノイズ電圧が重畳し、良好にコンテンツデータを再生できないおそれがある。
このため、従来では、良好な再生状態が得られるように、トランスを用いたり、グラウンドアイソレータを用いたりするものなど、コンテンツデータをアンバランス伝送する構成や、差動増幅器などを用いたバランス伝送する構成などが知られている（例えば、特許文献１または特許文献２参照）。
【０００４】
特許文献１に記載の構成では、カセット／レシーバユニットとハイパワーアンプユニットとの間に介装させるアイソレータユニットに、アイソレートトランスの一次コイルのセンタータップの電圧を入力し、カセット／レシーバユニットの出力に含まれる直流分の有無を検出し、後段のハイパワーアンプユニットにパワーコントロール信号を出力するパワーコントロール信号発生回路を設けている。
しかしながら、この特許文献１に記載のようなトランスを用いる構成では、コンテンツデータにおける周波数帯域の全域を網羅できず、周波数帯域が所定の帯域に限られることにより再生するコンテンツデータの音特性が低下するおそれがある。また、トランスに用いられる磁石のマグネティクドメインにより、再生される音特性に歪みが生じるおそれがある。
【０００５】
特許文献２に記載の構成では、バランス入力の場合、ホット側とコールド側のＲＣＡピンケーブルを各々、パワーアンプの第１と第２の信号入力端子に接続し、切り換えスイッチを第１ポジションに切り換える。ホットとコールドの伝送信号は、差動増幅器の２つの入力端子に入力され、同相ノイズ分を大幅に抑圧された信号が出力される。アンバランス入力の場合、アンバランス伝送用のＲＣＡピンケーブルを第１の信号入力端子に接続し、切り換えスイッチを第２ポジションに切り換える。アンバランス伝送信号のホット側とＧＮＤ側は差動増幅器の２つの入力端子に入力され同相のノイズ分をある程度抑圧した信号が出力される。
しかしながら、この特許文献２に記載のような差動増幅器を用いる構成では、一旦バッファアンプを介して差動増幅器でノイズ分を除去する構成となるので、回路構成が直列で多段となり、アンプや増幅器の固有音や雑音などが重畳され、良好な音特性が得られなくなるおそれがある。また、特許文献２のように、アンバランス伝送をバランス伝送に変換し、パワーアンプにてバランス伝送をアンバランス伝送に変換する必要があり、増幅器が多数必要となり、固有のノイズがより重畳しやすく、良好な音特性が得られなくなるおそれがある。
【０００６】
【特許文献１】特開平７−３０３０１３号公報
【特許文献２】特開平８−７０２３４号公報
【発明の開示】
【発明が解決しようとする課題】
【０００７】
上述したように、特許文献１に記載のようなトランスなどを用いる構成では、コンテンツデータの周波数帯域の一部がカットされるとともに、マグネティクドメインによる歪みなども生じ、良好な音特性の再生が得られないおそれがある。
また、特許文献２に記載のような差動増幅器などを用いる構成では、アンプや増幅器が直列で多段に接続されることとなり、固有のノイズが重畳されて良好な音特性が得られなくなるおそれがある。
【０００８】
本発明は、このような実情などに鑑みて、使い勝手が良好で着脱可能に接続される端末装置から出力されるコンテンツデータの特性を損なうことなく取得するコンテンツデータ処理装置および再生装置を提供することを１つの目的とする。
【課題を解決するための手段】
【０００９】
請求項１に記載の発明は、コンテンツデータを出力する端末装置が着脱可能に接続され、前記出力されるコンテンツデータを取得して適宜処理し、接続される出力手段で出力可能に該出力手段へ前記処理したコンテンツデータを適宜出力するコンテンツデータ処理装置であって、前記端末装置が着脱可能に接続される入力端子を備えこの入力端子への前記端末装置の接続の有無を検出する接続検出手段と、この接続検出手段に接続され前記コンテンツデータに重畳するノイズを除去するノイズ除去手段と、このノイズ除去手段に接続され前記端末装置から出力される前記コンテンツデータを取得して処理する処理手段と、前記接続検出手段に接続され前記端末装置の接続状態を判別するとともに前記端末装置が接続されたことを認識すると前記処理手段で前記コンテンツデータを取得させて処理させる接続判別手段と、を具備し、前記接続検出手段は、前記端末装置が前記入力端子に未接続の状態で前記接続判別手段が前記入力端子に接続するとともに前記処理手段が前記ノイズ除去手段を介して前記入力端子に接続しない状態とし、前記端末装置が前記入力端子に接続する状態で前記処理手段が前記ノイズ除去手段を介して前記入力端子に前記コンテンツデータを取得可能に接続するとともに前記接続判別手段が前記入力端子に接続しない状態に切り替える切替手段を備えたことを特徴としたコンテンツデータ処理装置である。
【００１０】
請求項７に記載の発明は、請求項１ないし請求項６のいずれかに記載のコンテンツデータ処理装置と、このコンテンツデータ処理装置から出力されるコンテンツデータを出力する出力手段と、を具備したことを特徴とした再生装置である。
【発明を実施するための最良の形態】
【００１１】
以下、本発明の一実施の形態を図面に基づいて説明する。
本実施の形態では、コンテンツデータとして、音楽データや音声データである音データを例示して説明するが、静止画像データや映像データなどの画像データ、さらには音データと画像データとが混在するコンテンツデータの他、各種アプリケーションソフトウェアやゲームソフトウェア、各種プログラムやテキストデータなど、各種データを対象とすることができる。また、自動車などの車両に搭載する構成を例示するが、自動車に限らず電車などの車両、さらには船舶や航空機などの各種移動体を対象とすることができる。
【００１２】
〔音響装置の構成〕
（全体構成）
図１は、本発明の一実施の形態に係る再生装置としての音響装置の概略構成を示すブロック図である。
この図１において、１００は本発明の一実施の形態に係る再生装置としての音響装置であり、この音響装置１００は、コンテンツデータとしての音データを適宜再生する装置である。
この音響装置１００は、周波数信号であるアナログ信号の音データを出力する端末装置としての外部端末装置２００が着脱可能に接続され、外部端末装置２００から出力される音データを適宜取得して処理し適宜再生可能となっている。
そして、音響装置１００は、処理本体部３００と、出力手段４００と、を備えている。
【００１３】
処理本体部３００は、各種コンテンツデータを適宜選択して取得し出力手段で出力可能な状態に処理する。
この処理本体部３００は、例えば金属板や合成樹脂板などにて略箱状に形成された図示しないケース体を備えている。このケース体には、コンテンツデータ処理装置３１０と、コンテンツデータ出力装置としてのチューナー部３２０と、コンテンツデータ出力装置としてのディスク装置３３０と、データ処理部３４０と、などが設けられている。
【００１４】
コンテンツデータ処理装置３１０は、データ処理部３４０からの指令信号に基づいて動作制御可能にデータ処理部３４０に接続されている。
また、コンテンツデータ処理装置３１０は、詳細は後述するが、外部端末装置２００が着脱可能に接続され、この接続される外部端末装置２００から出力されるコンテンツデータをデータ処理部３４０の動作制御より優先して取得してデータ処理部３４０へ出力可能となっている。なお、コンテンツデータ処理装置３１０は、直接的に外部端末装置２００が接続される他、例えばケーブルを介して接続されてもよい。
【００１５】
チューナー部３２０は、例えばラジオ放送やテレビ放送の音声を再生するための装置である。
このチューナー部３２０は、データ処理部３４０に接続され、データ処理部３４０からの指令信号に応じて所定の周波数帯の放送波を受信し、コンテンツデータである音声データを抽出してデータ処理部３４０へ出力する。
【００１６】
ディスク装置３３０は、例えば磁気ディスクあるいはＣＤ（Compact Disc）などの光ディスク、光磁気ディスク、ＭＤ（Mini Disc）など、各種ディスク状記録媒体を再生するためのドライブ装置である。
このディスク装置３３０は、データ処理部３４０に接続され、データ処理部３４０からの指令信号に応じて着脱可能に装着されたディスク状記録媒体に記録された所定のコンテンツデータである音声データを読み取り、適宜処理してデータ処理部３４０へ出力する。
【００１７】
データ処理部３４０は、利用者による入力操作に応じた操作信号を出力する図示しない操作部を備えている。この操作部は、ケース体の外面に臨んで配設された例えば操作ボタンや操作つまみなどの備え、これらの入力操作に応じた操作信号をデータ処理部３４０へ出力することで、データ処理部で設定事項を設定入力させる。この設定入力される設定事項としては、例えば音響装置１００の電源のオンオフ、動作させるチューナー部３２０やディスク装置３３０の選択、音量の大きさを変更する音量設定操作、再生させる音楽データの選択などが例示できる。
そして、データ処理部３４０は、操作部による設定入力に応じて動作制御する。具体的には、データ処理部３４０は、例えばＣＰＵ（Central Processing Unit）を備え、音響装置１００全体を動作制御するＯＳ（Operating System）上に展開される各種プログラムを構成し、各種処理を実施する。具体的には、データ処理部３４０は、デジタル信号の音データをアナログ信号に変換したり設定入力に応じた音場バランスや音量、周波数特性などに変換したりするなどの音データを設定入力に応じた状態で出力手段４００に再生出力可能に処理するなど、音響装置１００全体における各種処理を実施する。
【００１８】
出力手段４００は、データ処理部３４０から出力されるアナログ信号の音データを適宜増幅処理して音として再生出力する。この出力手段４００は、アンプ装置４１０と、スピーカ４２０と、を備えている。
アンプ装置４１０は、データ処理部３４０に接続され、データ処理部３４０から出力されるアナログ信号の音データが入力されると順次増幅して、適宜増幅してスピーカ４２０へ出力するパワーアンプなどを備えている。なお、音データが例えば５．１ｃｈなど左右やセンタなどの複数チャンネルで出力される場合にはチャンネル数に応じて複数のパワーアンプが設けられる。
スピーカ４２０は、車両に配設されている。スピーカ４２０は、音データのチャンネル数に対応した数で車両に適宜配設されている。そして、スピーカ４２０は、アンプ装置４１０から出力される音データが入力されることで音として再生する。
【００１９】
（コンテンツデータ処理装置の構成）
次に、コンテンツデータ処理装置の回路構成を図面を参照して説明する。
図２は、コンテンツデータ処理装置の概略構成を示す回路図である。図３は、外部端末装置が接続されていない状態でのコンテンツデータ処理装置における接続状態の検出状況を示す説明図である。図４は、外部端末装置が接続された状態でのコンテンツデータ処理装置におけるコンテンツデータの処理状況を示す説明図である。
【００２０】
コンテンツデータ処理装置３１０は、処理本体部３００のケース体の外面に臨んで配設され、外部端末装置２００からコンテンツデータを出力する図示しないミニプラグなどの出力端子が接続される入力端子としてのミニジャック３１１を備えている。
このミニジャック３１１は、図示しないミニプラグを嵌挿するリング状のグランドリング３１１Ａと、常時閉成しミニプラグが接続された状態で開成する切替手段を構成するスイッチである対をなす左用スイッチ３１１Ｂおよび右用スイッチ３１１Ｃと、これらグランドリング３１１Ａと左用スイッチ３１１Ｂおよび右用スイッチ３１１Ｃがそれぞれ接続される５つの入力端３１１Ｄ１，３１１Ｄ２，３１１Ｄ３，３１１Ｄ４，３１１Ｄ５と、を備えている。そして、５つの入力端３１１Ｄ１〜３１１Ｄ５は、グランドリングが接続されるグランド端３１１Ｄ１と、右用スイッチ３１１Ｃの対をなす接点３１１Ｃ１，３１１Ｃ２がそれぞれ接続されて対をなすコンテンツデータ入力端としての右用入力端３１１Ｄ２，３１１Ｄ３と、左用スイッチ３１１Ｂの対をなす接点３１１Ｂ１，３１１Ｂ２がそれぞれ接続されて対をなすコンテンツデータ入力端としての左用入力端３１１Ｄ４，３１１Ｄ５と、にて構成されている。
【００２１】
そして、ミニジャック３１１には、車両のシャーシに接地された接続判別手段としてのマイクロコンピュータであるＣＰＵ３１２が接続されている。
すなわち、ＣＰＵ３１２は、データ処理部３４０からの制御信号が入力されるポートなどの他、右用入力端３１１Ｄ３に接続する図示しない第１ポートと、左用入力端３１１Ｄ４に接続するとともに接地する図示しない第２ポートと、を有している。そして、ＣＰＵ３１２の第１ポートと、右用入力端３１１Ｄ３との間には、抵抗Ｒ１を介して基準電源ＶDDが接続されている。また、ＣＰＵ３１２の第２ポートと、左用入力端３１１Ｄ４とは、それぞれ接地されている。
【００２２】
また、ミニジャック３１１には、ノイズ除去手段を構成するアイソレーション回路部３１３を介して、ＣＰＵ３１２に接続されてＣＰＵ３１２から出力される制御信号により動作する処理手段としてのスイッチ回路であるＡＶ（Audio-Visual）セレクタ３１４が接続されている。
ＡＶセレクタ３１４は、チューナー部３２０で取得されデータ処理部３４０で処理された音声データが入力される図示しないポート、ディスク装置３３０で取得されデータ処理部３４０で処理された音声データが入力される図示しないポート、外部端末装置から出力されアイソレーション回路部３１３を介して入力される図示しないポートなど、各種ソースに対応した音声データが入力されるポートや、ＣＰＵ３１２からの制御信号が入力されるポートなどを有している。そして、ＡＶセレクタは、ＣＰＵ３１２からの制御信号に基づいて、各ソースを選択する処理、すなわち、ソースに対応したポートを接続してデータ処理部３４０へ出力させて音声データを出力手段４００から出力させる切替処理をする。
【００２３】
また、アイソレーション回路部３１３は、基準電源ＶCCに接続されて基準電源が供給されるノイズ除去手段としてのノイズ除去部３１３Ａを備えている。このノイズ除去部３１３Ａは、対をなす差動回路であるアイソレータとしての右用オペアンプ３１３Ａ１および左用オペアンプ３１３Ａ２を有している。
そして、右用オペアンプ３１３Ａ１の対をなす入力端は、それぞれコンデンサＣ１，Ｃ２を介して右用入力端３１１Ｄ２およびグランド端３１１Ｄ１に接続されている。また、右用オペアンプ３１３Ａ１の出力端は、平滑コンデンサＣf1を介してＡＶセレクタの図示しない第１ポートに接続されている。一方、左用オペアンプ３１３Ａ２の対をなす入力端は、それぞれコンデンサＣ３，Ｃ４を介して左用入力端３１１Ｄ５およびグランド端３１１Ｄ１に接続されている。また、左用オペアンプ３１３Ａ２の出力端は、平滑コンデンサＣf2を介してＡＶセレクタの図示しない第２ポートに接続されている。
さらに、コンデンサＣ１および右用入力端３１１Ｄ２の接続点と、コンデンサＣ２，Ｃ３およびグランド端３１１Ｄ１の接続点との間には、抵抗Ｒ２が接続されている。また、コンデンサＣ４および左用入力端３１１Ｄ５の接続点と、コンデンサＣ２，Ｃ３およびグランド端３１１Ｄ１の接続点との間には、抵抗Ｒ３が接続されている。すなわち、抵抗Ｒ２および抵抗Ｒ３は直列に接続された状態となる。
【００２４】
これら、グランド端３１１Ｄ１、右用入力端３１１Ｄ２および左用入力端３１１Ｄ５に接続するコンデンサＣ２〜Ｃ４と、直列回路を構成する抵抗Ｒ２，Ｒ３と、左用スイッチ３１１Ｂおよび右用スイッチ３１１Ｃとにより、ミニジャック３１１への外部端末装置２００の接続の有無を検出する接続検出手段３１５が構成される。
この接続検出手段３１５は、ミニジャック３１１への外部端末装置２００の出力端となるミニプラグの接続の有無を、左用スイッチ３１１Ｂおよび右用スイッチ３１１Ｃの開閉により接続状態を適宜切り替えて接続の有無を検出する。この接続の有無の検出により、ＣＰＵ３１２が外部端末装置２００の接続状態を判別し、外部端末装置２００から出力される音声データをノイズ除去部３１３Ａを介してノイズ分を適宜除去してＡＶセレクタ３１４に入力させて処理させる。
この接続の有無の検出は、左用スイッチ３１１Ｂおよび右用スイッチ３１１Ｃによる開閉と、周波数信号を伝送すなわちアナログ信号の音声データは伝送し直流信号は伝送しないコンデンサＣ２〜Ｃ４および直流信号を流す抵抗Ｒ２，Ｒ３とにより、ＣＰＵ３１２と、ノイズ除去部３１３Ａを介したＡＶセレクタ３１４とが、ミニジャック３１１と接続する状態を切り替える動作である。すなわち、外部端末装置２００がミニジャック３１１に接続せず外部端末装置２００の出力端子がミニジャック３１１のグランド端３１１Ｄ１、右用入力端３１１Ｄ２および左用入力端３１１Ｄ５に未接続の状態で、ＣＰＵ３１２がグランド端３１１Ｄ１、右用入力端３１１Ｄ２および左用入力端３１１Ｄ５に接続するとともに、ＡＶセレクタ３１４はノイズ除去部３１３Ａを介してグランド端３１１Ｄ１、右用入力端３１１Ｄ２および左用入力端３１１Ｄ５に接続しない状態となる。また、外部端末装置２００の出力端子がミニジャック３１１のグランド端３１１Ｄ１、右用入力端３１１Ｄ２および左用入力端３１１Ｄ５に接続する状態では、ＡＶセレクタ３１４はノイズ除去部３１３Ａを介してグランド端３１１Ｄ１、右用入力端３１１Ｄ２および左用入力端３１１Ｄ５に接続し、ＣＰＵ３１２はグランド端３１１Ｄ１、右用入力端３１１Ｄ２および左用入力端３１１Ｄ５に接続しない状態となる。
【００２５】
具体的には、ミニプラグが接続されていない状態では、右用スイッチ３１１Ｃおよび左用スイッチ３１１Ｂが常時閉成することから、右用入力端３１１Ｄ２，３１１Ｄ３が短絡するとともに、左用入力端３１１Ｄ４，３１１Ｄ５が短絡する。このことにより、図３の実線で示すように、ＣＰＵ３１２の第１ポート、右用入力端３１１Ｄ２，３１１Ｄ３、抵抗Ｒ２，Ｒ３、左用入力端３１１Ｄ４，３１１Ｄ５、および、ＣＰＵ３１２の第２ポートが接続する閉回路が構成され、また第２ポートが接地されているので、ＣＰＵ３１２は「Ｌ(Low)レベル」を検出し、ミニプラグが接続されていないと判断する。そして、ＣＰＵ３１２は、ＡＶセレクタ３１４への制御信号を出力せず、ＡＶセレクタ３１４における処理状態を維持、具体的には現時点でのソースにおける再生状態を維持させる。
なお、ミニプラグが接続されていないことから、アイソレーション回路部３１３には外部端末装置２００から信号が入力されない、すなわち信号に対応する電圧が印加しない。このことにより、ＡＶセレクタ３１４への信号の入力がない。なお、図３は、説明の都合上、アイソレーション回路部３１３からＡＶセレクタへの結線を一点鎖線で示す。
【００２６】
一方、ミニプラグが接続された状態では、右用入力端３１１Ｄ２，３１１Ｄ３が開放するとともに、左用入力端３１１Ｄ４，３１１Ｄ５が開放する。このことにより、図４の一点鎖線で示すように、閉回路を構成しなくなり、ＣＰＵ３１２の第１ポートには抵抗Ｒ１を介して基準電源ＶDDからの電圧が印加され、ＣＰＵ３１２は「Ｈ(High)レベル」を検出し、ミニプラグが接続されていると判断する。そして、ＣＰＵ３１２は、ＡＶセレクタ３１４へ所定の制御信号を出力し、ＡＶセレクタ３１４で外部端末装置２００からの音声データを処理させる状態に動作させる。具体的には、ＣＰＵ３１２は、ＡＶセレクタ３１４が外部端末装置２００から入力される信号を他のソースに対して優先して出力手段４００で再生させる状態に切り替えさせる。なお、図４は、説明の都合上、オープン回路となるミニジャック３１１からＣＰＵ３１２への結線を一点鎖線で示す。
そして、ミニプラグが接続されることから、ミニプラグからアナログ信号が出力される場合、図４の実線で示すように、右用オペアンプ３１３Ａ１は、右用入力端３１１Ｄ２からコンデンサＣ２を介して入力されるアナログ信号と、グランド端３１１Ｄ１からコンデンサＣ２を介して入力されるノイズ分に対応する信号との差分を演算し、ＡＶセレクタ３１４の第１ポートへ平滑コンデンサＣf1を介して出力する。また、左用オペアンプ３１３Ａ２は、左用入力端３１１Ｄ５からコンデンサＣ４を介して入力されるアナログ信号と、グランド端３１１Ｄ１からコンデンサＣ３を介して入力されるノイズ分に対応する信号との差分を演算し、ＡＶセレクタ３１４の第２ポートへ平滑コンデンサＣf2を介して出力する。
【００２７】
〔音響装置の動作〕
次に、上記実施の形態における音響装置１００の動作について、図面を参照して説明する。
【００２８】
まず、音響装置１００に電力が供給されると、データ処理部３４０は適宜初期設定を実施し、利用者による図示しない操作部における動作設定の入力待機状態となる。
そして、利用者が操作部にて例えばチューナー部３２０やディスク装置３３０の動作を要求する旨を入力操作することにより、データ処理部３４０は、チューナー部３２０やディスク装置３３０を動作させ、放送波からあるいはディスク状記録媒体から音声データを抽出させて適宜処理し、出力手段４００から出力させる処理をする。
具体的には、チューナー部３２０を動作させる場合、データ処理部３４０は、チューナー部３２０で利用者にて設定入力された所定の周波数帯の放送波を受信させて音声データを抽出させ、データ処理部３４０へ出力させる制御をする。そして、データ処理部３４０は、チューナー部３２０から取得した音声データをストリーム処理して出力手段４００へ適宜出力し、出力手段４００のアンプ装置４１０で適宜増幅処理するなどしてスピーカ４２０から出力させる。同様に、ディスク装置３３０を動作させる場合、データ処理部３４０は、ディスク装置３３０で利用者にて設定入力されディスク状記録媒体に記録された所定の楽曲データなどの音声データを読み取らせて適宜処理させ、データ処理部３４０へ出力させる制御をする。そして、データ処理部３４０は、ディスク装置３３０から取得した音声データをストリーム処理して出力手段４００へ適宜出力し、出力手段４００のアンプ装置４１０で適宜増幅処理するなどしてスピーカ４２０から出力させる。
【００２９】
このように、入力待機状態やチューナー部３２０やディスク装置３３０を動作させている状態、すなわち外部端末装置２００が音響装置１００に接続されていない状態では、音響装置１００における設定入力に応じた動作内容で動作制御する。
具体的には、音響装置１００のコンテンツデータ処理装置３１０のミニジャック３１１に外部端末装置２００のミニプラグが接続されていない状態では、ミニジャック３１１の右用入力端３１１Ｄ２，３１１Ｄ３が短絡するとともに、左用入力端３１１Ｄ４，３１１Ｄ５が短絡し、図３の実線で示すように、ＣＰＵ３１２とミニジャック３１１とが閉回路を構成する。すなわち、ＣＰＵ３１２の第１ポート、右用入力端３１１Ｄ２，３１１Ｄ３、抵抗Ｒ２，Ｒ３、左用入力端３１１Ｄ４，３１１Ｄ５、および、ＣＰＵ３１２の第２ポートが接続する閉回路が構成される。そして、ＣＰＵ３１２の第２ポートは接地し、ＣＰＵ３１２の第１ポートには抵抗Ｒ１を介して基準電源ＶDDが接続しているので、ＣＰＵ３１２は「Ｌ(Low)レベル」を検出し、ミニプラグすなわち外部端末装置２００が接続されていないと判断する。
そして、外部端末装置２００のミニプラグが接続されていないので、右用入力端３１１Ｄ２、左用入力端３１１Ｄ５およびグランド端３１１Ｄ１には音声データが入力されない、すなわち音声データにおけるアナログ信号の電圧が印加しない。このことにより、データ処理部３４０は、音響装置１００における設定入力された内容で動作制御することとなる。
【００３０】
一方、例えばアクセサリ電源として車両のバッテリから電力が供給されて駆動する外部端末装置２００が、ケーブルなどを介して音響装置１００のコンテンツデータ処理装置３１０のミニジャック３１１に接続されると、データ処理部３４０は、外部端末装置２００から出力される音声データを優先して出力手段４００で出力させる処理をする。
すなわち、ミニジャック３１１に外部端末装置２００のミニプラグが接続された状態では、ミニジャック３１１の右用入力端３１１Ｄ２，３１１Ｄ３が開放するとともに、左用入力端３１１Ｄ４，３１１Ｄ５が開放し、図４の一点鎖線で示すように、ＣＰＵ３１２とミニジャック３１１とが開放する。このことにより、ＣＰＵ３１２の第１ポートには抵抗Ｒ１を介して基準電源ＶDDからの電圧が印加され、ＣＰＵ３１２は「Ｈ(High)レベル」を検出し、ミニプラグが接続されていると判断する。そして、外部端末装置２００が接続されたことを認識したＣＰＵ３１２は、ＡＶセレクタ３１４へ外部端末装置２００から入力される信号を優先して出力させる状態に切り替えさせる旨の制御信号を出力する。
このことにより、ＡＶセレクタ３１４は、外部端末装置２００が接続されたことを認識し、例えばチューナー部３２０やディスク装置３３０が動作して再生している状態でも、外部端末装置２００からの音声データを優先的に再生させる状態に、ミニジャック３１１からＡＶセレクタ３１４の第１ポートおよび第２ポートに入力される音声データをデータ処理部３４０へ出力可能な状態に切り替える処理をする。
そして、外部端末装置２００のミニプラグが接続されているので、例えば利用者が外部端末装置２００を操作してアナログ信号の音声データを出力させると、例えば右用音声データは右用入力端３１１Ｄ２に入力されるとともに、左用音声データは左用入力端３１１Ｄ５に入力される。この入力された右用音声データおよび左用音声データは、アイソレーション回路部３１３にて適宜ノイズが除去されてＡＶセレクタ３１４へ入力され、ＡＶセレクタ３１４からデータ処理部３４０へ出力される。
【００３１】
ここで、アクセサリ電源が供給される外部端末装置２００は、アクセサリ電源を供給するジャックからシャーシに接地されることとなる。このことにより、外部端末装置２００における接地位置と、この外部端末装置２００の音声データが伝送されるコンテンツデータ処理装置３１０における接地位置とで、シャーシに接地される各種電気機器からのノイズ電圧により、電位差が生じ、伝送する音声データにノイズ電圧が重畳することとなる。また、ノイズ電圧は、外部端末装置２００のミニプラグにおけるグランドにも載ることとなり、ミニジャック３１１のグランド端３１１Ｄ１にもノイズ電圧が印加することとなる。
そして、右用入力端３１１Ｄ２に入力されるノイズ電圧が重畳した右用音声データは、アナログ信号であることからコンデンサＣ１を介して右用オペアンプ３１３Ａ１に入力される。そして、右用オペアンプ３１３Ａ１は、入力された右用音声データと、グランド端３１１Ｄ１からコンデンサＣ２を介して入力されるノイズ電圧との差分を演算し、右用音声データからノイズ分を除去し、ＡＶセレクタ３１４の第１ポートへ平滑コンデンサＣf1を介して出力する。同様に、左用入力端３１１Ｄ５に入力されるノイズ電圧が重畳した左用音声データは、コンデンサＣ４を介して左用オペアンプ３１３Ａ２に入力される。そして、左用オペアンプ３１３Ａ２は、入力された左用音声データと、グランド端３１１Ｄ１からコンデンサＣ３を介して入力されるノイズ電圧との差分を演算し、左用音声データからノイズ分を除去し、ＡＶセレクタ３１４の第２ポートへ平滑コンデンサＣf2を介して出力する。
【００３２】
このようにして、ノイズ分が除去されＡＶセレクタ３１４へ入力された右用音声データおよび左用音声データは、データ処理部３４０へ適宜出力され、データ処理部３４０にて設定入力に応じて処理し、出力手段４００へ出力して再生させる。
なお、外部端末装置２００が例えば蓄電池により駆動してシャーシに接地しない場合、音声データおよびグランドにノイズ分が載らないので、ノイズ除去部３１３Ａでの差分として同様に演算しても音声データはそのままでＡＶセレクタ３１４へ入力されることとなる。
【００３３】
〔音響装置の作用効果〕
上述したように、上記実施の形態では、外部端末装置２００が着脱可能に接続されるミニジャック３１１を備えこのミニジャック３１１への外部端末装置２００の接続の有無を接続検出手段３１５により検出する。この接続検出手段３１５に接続するＣＰＵ３１２により、外部端末装置２００の接続状態を判別する。ＣＰＵ３１２によりミニジャック３１１への外部端末装置２００の接続を認識すると、ノイズ除去部３１３Ａを介して接続検出手段３１５に接続するＡＶセレクタ３１４により、外部端末装置２００から出力される音声データを処理する。具体的には、外部端末装置２００から出力される音声データを優先して出力手段４００で再生させる状態に切り替えてデータ処理部３４０へ出力させる処理をする。
このため、利用者により音響装置１００のソースの切替操作などを実施することなく、外部端末装置２００の接続の有無を検出して接続された外部端末装置２００からの音声データを自動的に処理させることができるとともに、外部端末装置２００から伝送される音声データに重畳するコモンノイズを除去して良好な音声特性で再生できる。
【００３４】
そして、接続検出手段３１５は、ミニジャック３１１への外部端末装置２００の出力端となるミニプラグの接続の有無を、左用スイッチ３１１Ｂおよび右用スイッチ３１１Ｃの開閉により、接続状態を適宜切り替えて接続の有無を検出する。すなわち、ＣＰＵ３１２およびミニジャック３１１が接続する状態と、ノイズ除去部３１３Ａを介したＡＶセレクタ３１４およびミニジャック３１１が接続する状態と、を切り替えることで接続の有無を検出している。
このため、スイッチを用いる簡単な構成で、接続検出による外部端末装置２００からの音声データの自動的な処理およびコモンノイズの除去の双方を実施させるための外部端末装置２００の接続の有無を検出させる構成が容易に得られる。
【００３５】
また、ミニジャック３１１としてグランド端３１１Ｄ１と音声データが入力される右用入力端３１１Ｄ２および左用入力端３１１Ｄ５を備えた構成とし、接地するＡＶセレクタ３１４とミニジャック３１１のグランド端３１１Ｄ１、右用入力端３１１Ｄ２および左用入力端３１１Ｄ５との接続点、すなわちＡＶセレクタ３１４とミニジャック３１１との間に、グランド端３１１Ｄ１と右用入力端３１１Ｄ２および左用入力端３１１Ｄ５との差分でノイズを除去するノイズ除去部３１３Ａを設けている。
このため、コモンノイズを良好に除去でき、かつ外部端末装置２００からの音声データの自動的な処理を実施するための接続検出のための回路構成の構築が容易に得られる。
【００３６】
さらに、ノイズ除去部３１３Ａとして、グランド端３１１Ｄ１と右用入力端３１１Ｄ２および左用入力端３１１Ｄ５との差分でノイズを除去する差動回路であるアイソレータとしての右用オペアンプ３１３Ａ１および左用オペアンプ３１３Ａ２にて構成している。
このため、接続検出による外部端末装置２００からの音声データの自動的な処理およびコモンノイズの除去の双方を実施するための回路構成が容易に得られる。
【００３７】
また、ＣＰＵ３１２およびミニジャック３１１が接続する状態と、ノイズ除去部３１３Ａを介したＡＶセレクタ３１４およびミニジャック３１１が接続する状態と、を切り替えて外部端末装置２００の接続の有無を検出させるための接続検出手段３１５として、グランド端３１１Ｄ１、右用入力端３１１Ｄ２および左用入力端３１１Ｄ５に接続し周波数信号を伝送すなわちアナログ信号の音声データは伝送し直流信号は伝送しないコンデンサＣ２〜Ｃ４と、グランド端３１１Ｄ１と右用入力端３１１Ｄ２および左用入力端３１１Ｄ５との間に接続され直流信号を流す抵抗Ｒ２，Ｒ３と、にて構成している。
このため、左用スイッチ３１１Ｂおよび右用スイッチ３１１Ｃによる開閉と、音声データは伝送し直流信号となる基準電源ＶDDからの電流は流さないコンデンサＣ２〜Ｃ４および基準電源ＶDDからの電流は流してバイパスさせる抵抗Ｒ２，Ｒ３とにより、ＣＰＵ３１２およびミニジャック３１１が接続する状態と、ノイズ除去部３１３Ａを介したＡＶセレクタ３１４およびミニジャック３１１が接続する状態と、を切り替えて接続状態を検出するとともに音声データからノイズ分を除去して処理させる構成が得られる回路構成が容易に得られる。
【００３８】
そして、接続検出手段３１５のコンデンサＣ２〜Ｃ４および抵抗Ｒ２，Ｒ３とノイズ除去部３１３Ａとにて、アイソレーション回路部３１３を構成している。
すなわち、アイソレーション回路部３１３を構成するコンデンサＣ２〜Ｃ４および抵抗Ｒ２，Ｒ３を、左用スイッチ３１１Ｂおよび右用スイッチ３１１Ｃを有したミニジャック３１１に適宜接続させ、外部端末装置２００の接続状態に応じて左用スイッチ３１１Ｂおよび右用スイッチ３１１Ｃが開閉することで、ＣＰＵ３１２およびミニジャック３１１が接続する状態と、ノイズ除去部３１３Ａを介したＡＶセレクタ３１４およびミニジャック３１１が接続する状態と、を切り替え、接続状態を検出するとともに音声データからノイズ分を除去して処理させる構成が得られる回路構成を構築している。このため、アイソレーション回路部３１３を用いて適宜接続させることで、外部端末装置２００の接続により良好な音特性で自動的に再生させることが容易に得られる。
【００３９】
特に、車両に搭載する音響装置１００、すなわち車両のシャーシに接地される音響装置１００において、シャーシに接地される外部端末装置２００からの音声データを処理する構成として適用している。
このため、特に接続検出による外部端末装置２００からの音声データの自動的な処理およびコモンノイズの除去の双方が良好に得られ、好適である。
【００４０】
また、音声データの処理として、複数のソースを切り替えるＡＶセレクタ３１４を用いる構成に適用している。
このため、特に外部端末装置２００の接続により他のソースに優先して自動的に良好な音特性で再生させることが良好に得られ、好適である。
【００４１】
〔実施形態の変形〕
なお、本発明は、上述した一実施の形態に限定されるものではなく、本発明の目的を達成できる範囲で以下に示される変形をも含むものである。
【００４２】
すなわち、車両に搭載される構成に限らず、家庭用など設置タイプなど、各種形態に適用できる。
そして、音声データとして説明したが、音声データに限らず、画像データなど、各種データをコンテンツデータとして対象とすることができる。
また、ソースとして、チューナー部３２０およびディスク装置３３０を備えた構成を例示したが、いずれか一方のみ、あるいはさらに他のソースを再生する構成、あるいはこれらソースを備えず、単に外部端末装置２００が接続されることで、自動的に再生させる構成とするなどしてもよい。
【００４３】
そして、外部端末装置２００が１つ接続される構成、すなわちミニジャック３１１を１つ備えた構成を例示したが、複数のミニジャック３１１を備えた構成としてもよい。
具体的には、例えば図５に示すように、２つのミニジャック３１１を備えた構成とすることもできる。
この図５に示す実施の形態は、図１ないし図４に示す実施の形態におけるミニジャック３１１およびアイソレーション回路部３１３を２対設け、それぞれをＣＰＵ３１２およびＡＶセレクタ３１４に接続している。なお、この図５に示す実施の形態の構成では、いずれのミニジャック３１１に接続されたかをＣＰＵ３１２で認識できるように、接続状態の「Ｈ(High)レベル」の電圧値が異なる状態に、基準電源ＶDDに接続する抵抗Ｒ１，Ｒ４の抵抗値が異なるものとすることが好ましい。このことにより、それぞれの回路が接続するＣＰＵ３１２の各ポートで容易に認識できる。なお、抵抗値を変える構成に限らず、電圧値が異なる基準電源をそれぞれ接続する状態としてもよい。そして、いずれか一方のミニジャック３１１に接続される場合には、その接続された外部端末装置２００からの音声データを優先して再生させ、双方に接続される場合には、いずれか一方を優先して再生させればよい。この双方に接続される場合の優先性の判断としては、例えば接続状態の「Ｈレベル」の異なる電圧値に基づき、所定の電圧値側に対応するミニジャック３１１に接続された方を優先させる構成とすればよい。
この図５に示すような複数の外部端末装置２００が接続される構成として、上述した図１ないし図４に示す実施の形態と同様の作用効果を奏する。
【００４４】
また、アイソレーション回路部３１３を利用して接続の検出およびノイズ除去を実施する回路構成を例示したが、ノイズ除去としては、上述した差動回路を用いる構成に限らず、他のノイズ除去方法を適用してもよい。
さらに、ミニジャック３１１を例示したが、この構成に限らず、外部端末装置２００が接続されてコンテンツデータが入力されるいずれのジャックを対象とすることができる。例えば、図６に示すように、ピンジャック３１６，３１７を用いる構成としてもよい。
この図６に示す実施の形態は、左用音声データが入力される左用ピンジャック３１６と、右用音声データが入力される右用ピンジャック３１７との別体のジャックの構成である。具体的には、左用ピンジャック３１６の図示しないピンプラグが嵌合するリング状のグランドリング３１６Ａと、常時閉成しミニプラグが接続された状態で開成する対をなす左用スイッチ３１１Ｂと、グランドリング３１６Ａが接続するグランド端３１６Ｄ１と、左用スイッチ３１１Ｂの対をなす接点３１１Ｂ１，３１１Ｂ２がそれぞれ接続される対をなす左用入力端３１１Ｄ４，３１１Ｄ５と、を有している。右用ピンジャック３１７も同様に、グランドリング３１７Ａと、常時閉成しミニプラグが接続された状態で開成する対をなす右用スイッチ３１１Ｃと、グランド端３１７Ｄ１と、右用入力端３１１Ｄ２，３１１Ｄ３と、を有している。そして、グランド端３１６Ｄ１，３１７Ｄ１がそれぞれコンデンサＣ２，Ｃ３の接続点に接続される。
この図６に示す実施の形態では、ピンプラグがそれぞれ左用ピンジャック３１６および右用ピンジャック３１７に接続されていない場合、上述した図１ないし図４に示す実施の形態と同様に、ＣＰＵ３１２の第１ポート、右用入力端３１１Ｄ２，３１１Ｄ３、抵抗Ｒ２，Ｒ３、左用入力端３１１Ｄ４，３１１Ｄ５、および、ＣＰＵ３１２の第２ポートが接続する閉回路が構成される。また、左用ピンジャック３１６および右用ピンジャック３１７の双方がそれぞれ接続する状態で閉回路が構成せず、音声データをノイズ除去してＡＶセレクタ３１４へ入力される状態となる。
この図６に示すようなジャック構成でも、上述した図１ないし図４に示す実施の形態と同様の作用効果を奏する。
【００４５】
その他、本発明の実施の際の具体的な構造は、本発明の目的を達成できる範囲で他の構造や回路構成などに適宜変更できる。
【００４６】
〔実施の形態の効果〕
上述したように、上記一実施の形態では、外部端末装置２００が着脱可能に接続されるミニジャック３１１を備えこのミニジャック３１１への外部端末装置２００の接続の有無を接続検出手段３１５により検出する。この接続検出手段３１５に接続するＣＰＵ３１２により、外部端末装置２００の接続状態を判別する。ＣＰＵ３１２によりミニジャック３１１への外部端末装置２００の接続を認識すると、ノイズ除去部３１３Ａを介して接続検出手段３１５に接続するＡＶセレクタ３１４により、外部端末装置２００から出力される音声データを処理する。具体的には、外部端末装置２００から出力される音声データを優先して出力手段４００で再生させる状態に切り替えてデータ処理部３４０へ出力させる処理をする。
このため、利用者により音響装置１００のソースの切替操作などを実施することなく、外部端末装置２００の接続の有無を検出して接続された外部端末装置２００からの音声データを自動的に処理させることができるとともに、外部端末装置２００から伝送される音声データに重畳するコモンノイズを除去して良好な音声特性で再生できる。
【図面の簡単な説明】
【００４７】
【図１】本発明の一実施の形態における音響装置の概略構成を示すブロック図である。
【図２】前記実施の形態におけるコンテンツデータ処理装置の概略構成を示す回路図である。
【図３】前記実施の形態における外部端末装置が接続されていない状態でのコンテンツデータ処理装置における接続状態の検出状況を示す説明図である。
【図４】前記実施の形態における外部端末装置が接続された状態でのコンテンツデータ処理装置におけるコンテンツデータの処理状況を示す説明図である。
【図５】本発明の他の実施の形態における音響装置のコンテンツデータ処理装置の概略構成を示す回路図である。
【図６】本発明のさらに他の実施の形態における音響装置のコンテンツデータ処理装置の概略構成を示す回路図である。
【符号の説明】
【００４８】
１００………再生装置としての音響装置
３１０………コンテンツデータ処理装置
３１１………入力端子を構成するミニジャック
３１１Ｂ……切替手段を構成するスイッチである左用スイッチ
３１１Ｃ……切替手段を構成するスイッチである右用スイッチ
３１１Ｄ１，３１６Ｄ１，３１７Ｄ１…グランド端
３１１Ｄ２…コンテンツデータ入力端としての右用入力端
３１１Ｄ５…コンテンツデータ入力端としての左用入力端
３１２………接続判別手段としてのＣＰＵ
３１３………アイソレーション回路部
３１３Ａ……差動回路であるノイズ除去手段としてのノイズ除去部
３１３Ａ１，３１３Ａ２…アイソレータであるオペアンプ
３１４………処理手段としてのスイッチ回路であるＡＶセレクタ
３１５………接続検出手段
Ｃ１，Ｃ２，Ｃ３，Ｃ４…コンデンサ
【図１】
0004701096.tif 000002
【図２】
0004701096.tif 000003
【図３】
0004701096.tif 000004
【図４】
0004701096.tif 000005
【図５】
0004701096.tif 000006
【図６】
0004701096.tif 000007